(57)【特許請求の範囲】
【請求項１】
需要家に設置された電力量計から電力を供給され前記電力量計の計量値を読み取りネッ
トワークを介して送信する通信端末と、
各需要家の計量値を前記ネットワークを介して前記通信端末から自動的に収集するセンタ
サーバとで構成され、
前記センタサーバは、停電の発生した需要家と通信できない場合に、前記需要家の近傍の需要家に設置された前記通信端末に通信可否を確認することを特徴とする停電判定装置。
【発明の詳細な説明】
【技術分野】
【０００１】
この発明は、需要家に設置された電力量計を使用した自動検針システムにおいて、需要家の停電状況を判定する停電判定装置に関する。
【背景技術】
【０００２】
従来、電気の小売にかかる取引量の計量は、各需要家に設置された電力量計の表示値を人手で読み取ることで実現されてきた。これに対し近年は、電力量計に通信機能を付加、又は通信装置を接続し、各需要家の使用電力量を遠隔から定期的に、かつ自動的に取得するシステムも運用されている。こうしたシステムは、自動検針システムと呼ばれている。
また、電圧階級の低い需要家までを対象とする自動検針システムの構築においては、需要家の数が極めて多くなるため、有線のネットワーク構築は、困難であり、通信機能付き電力量計同士で無線のメッシュネットワークを構築し、上位の計算機ネットワークからのアクセスを実現する方式が有望視されている。
【０００３】
こうした自動検針システムの応用技術として、特許文献１では、端末装置にタイマ、異常検出機構、電池を備え、異常時にタイマ動作でセンタ側に異常を通知する方法が述べられている。
また、特許文献２では、電力量計に接続する無線通信機器で電圧及び電流を定期的に取得してサーバ側に送信し、これらのデータに基づいて、故障対応時にサーバで故障原因等を表示する方法が述べられている。
【先行技術文献】
【特許文献】
【０００４】
【特許文献１】特開平６−２７６３０２号公報（第２頁、図１）
【特許文献２】特開２００８−２２６７６号公報（第５〜７頁、図２、図４）
【発明の概要】
【発明が解決しようとする課題】
【０００５】
従来、需要家から停電の問い合わせを受けた場合、電力供給が停止しているのか、需要家構内での故障等なのかといった停電状況の判定には、現地調査が必要だった。この対策として、需要家に設置された電力量計に、特許文献１ではタイマ、異常検出機構、電池を、特許文献２では電圧及び電流の計測機構を追加することで、遠隔での停電状況の判定を考えたが、需要家の数が膨大なため、追加費用が大きくなり、実現性が困難であるという問題があった。
【０００６】
この発明は、需要家に設置された電力量計に対して、新たな計測機構及び電池を追加しないで、遠隔での停電状況の切り分けが可能な停電判定装置の提供を目的とする。
【課題を解決するための手段】
【０００７】
この発明の停電判定装置は、需要家に設置された電力量計から電力を供給され電力量計の計量値を読み取りネットワークを介して送信する通信端末と、各需要家の計量値をネットワークを介して通信端末から自動的に収集するセンタサーバとで構成され、センタサーバから停電の発生した需要家の通信端末に通信可否を確認することで、通信成功ならば停電の発生した需要家の通信端末まで電力が供給されていると判断して需要家構内故障、通信失敗ならば停電の発生した需要家の通信端末まで電力が供給されていないと判断して上位異常、と停電状況を切り分けるものである。
【発明の効果】
【０００８】
この発明は、需要家に設置された電力量計から電力を供給され電力量計の計量値を読み取りネットワークを介して送信する通信端末と、各需要家の計量値をネットワークを介して通信端末から自動的に収集するセンタサーバとで構成され、センタサーバから停電の発生した需要家の通信端末に通信可否を確認することで、通信成功ならば停電の発生した需要家の通信端末まで電力が供給されていると判断して需要家構内故障、通信失敗ならば停電の発生した需要家の通信端末まで電力が供給されていないと判断して上位異常、と停電状況を切り分けるもので、需要家に設置された電力量計に対して、新たな計測機構及び電池を追加しないで、遠隔での停電状況の切り分けが可能な停電判定装置の提供ができる。
【図面の簡単な説明】
【０００９】
【図１】この発明の実施の形態１による停電判定装置全体の説明図。
【図２】この発明の実施の形態１によるセンタサーバの構成図。
【図３】この発明の実施の形態１による通信端末の構成図。
【図４】この発明の実施の形態１による停電状況の切り分けの説明図。
【図５】この発明の実施の形態１による停電判定の流れを示すフローチャート。
【図６】この発明の実施の形態２による停電判定装置全体の説明図。
【図７】この発明の実施の形態２によるセンタサーバの構成図。
【図８】この発明の実施の形態２による停電判定の流れを示すフローチャート。
【図９】この発明の実施の形態３によるによる停電判定装置全体の説明図。
【図１０】この発明の実施の形態３によるセンタサーバの構成図。
【図１１】この発明の実施の形態３によるネットワーク中継装置の構成図。
【図１２】この発明の実施の形態３による通信端末の構成図。
【図１３】この発明の実施の形態３による通信端末並列探索の要求処理を示すフローチャート。
【図１４】この発明の実施の形態３による通信端末並列探索の応答処理を示すフローチャート。
【図１５】この発明の実施の形態３による停電判定の流れを示すフローチャート。
【発明を実施するための形態】
【００１０】
実施の形態１．
図１は、この発明の実施の形態１による停電判定装置全体の説明図である。図２は、この発明の実施の形態１によるセンタサーバの構成図である。図３は、この発明の実施の形態１による通信端末の構成図である。図４は、この発明の実施の形態１による停電状況の切り分けの説明図である。図５は、この発明の実施の形態１による停電判定の流れを示すフローチャートである。
図１において、１０１はセンタサーバ、１０２はネットワーク、１０３は通信端末、１０４は電力量計である。
図２において、２０１は通信装置、２０２演算装置、２０３は入力装置、２０４は記憶装置、２０５は出力装置、２０６は通信確認手段、２１１は計器データである。
図３において、３０１は通信装置、３０２は演算装置、３０３は記憶装置、３０４はインタフェース装置、３０５は通信応答手段である。
【００１１】
次に、停電判定装置全体について、図１をもとに説明する。
停電判定装置は、各需要家に設置された電力量計１０４から電力を供給され電力量計１０４の計量値を読み取りネットワーク１０２を介して送信する通信端末１０３と、各需要家の計量値をネットワーク１０２を介して通信端末１０３から自動的に収集するセンタサーバ１０１とで構成される。
【００１２】
次に、センタサーバ１０１の構成について、図２をもとに説明する。
センタサーバ１０１は、通信装置２０１と演算装置２０２と入力装置２０３と記憶装置２０４と出力装置２０５とが互いに接続され、記憶装置２０４に格納されたプログラムを演算装置２０２に読み込んで処理することによって動作する。
停電判定装置のオペレータが入力装置２０３から入力した情報により、プログラムの動作を制御し、プログラムの動作結果を出力装置２０５で停電判定装置のオペレータに提示する。
また、プログラムの動作により、通信装置２０１を制御して通信端末１０３とデータの送受信を行う。
【００１３】
記憶装置２０４は、各需要家に設置された電力量計１０４及び通信端末１０３の情報を含む計器データ２１１を格納する。計器データ２１１は、例えば、各需要家の通信端末１０３の識別番号といった情報を含んでいる。
【００１４】
通信確認手段２０６は、確認対象の需要家の情報を入力として受け取り、計器データ２１１から当該需要家の通信端末の識別番号を取得し、センタサーバ１０１から当該需要家の通信端末に対して通信確認の要求データを送信し、一定時間内に当該需要家の通信端末から通信応答の応答データを受信できるか否かを確認し、受信できれば「通信成功」を、受信できなければ「通信失敗」を結果として出力する。
なお、通信確認手段２０６は、コンピュータプログラムとして実現し、記憶装置２０４に格納する。実行時には、演算装置２０２に読み込み、前記の処理を行う。
【００１５】
次に、通信端末１０３の構成について、図３をもとに説明する。
通信端末１０３は、通信装置３０１と演算装置３０２と記憶装置３０３とインタフェース装置３０４とが互いに接続され、記憶装置３０３に格納されたプログラムを演算装置３０２に読み込んで処理することによって動作する。インタフェース装置３０４は、電力量計１０４と接続され、電力量計１０４の指示値をプログラム中に読み込むことを可能とし、定期検針処理等を実現する。また、プログラムの動作によって、通信装置３０１を制御し、センタサーバ１０１とデータの送受信を行う。
【００１６】
通信応答手段３０５は、センタサーバ１０１から通信確認手段２０６による通信確認の要求データを受信すると、当該要求に対応する通信応答の応答データを作成し、センタサーバ１０１に送信する。
なお、通信応答手段３０５は、コンピュータプログラムとして実現し、記憶装置３０３に格納する。実行時には、演算装置３０２に読み込み、前記の処理を行う。
【００１７】
次に、停電判定の流れについて、図４と図５をもとに説明する。
図４において、電力が上位設備から、柱上変圧器１を経由して、需要家Ａ、需要家Ｂ及び需要家Ｃに供給され、柱上変圧器２を経由して需要家Ｄに供給される。
需要家Ａにおいては、柱上変圧器１から引込線で需要家Ａに設置された電力量計に電力が供給され、電力量計から需要家Ａの通信端末と、需要家Ａの構内ブレーカ経由で需要家Ａの構内に電力が供給される。
範囲１は需要家Ａの構内ブレーカから需要家Ａの構内側の範囲である。範囲２は引込線から需要家Ａに設置された電力量計及び通信端末と、需要家Ａの構内を含む範囲である。範囲３は上位設備を含む柱上変圧器１から需要家Ａ、需要家Ｂ及び需要家Ｃまでの範囲である。
実施の形態１では、「需要家の構内故障」、「上位異常（柱上変圧器等の異常によるある程度広域の異常）」の２段階の停電状況の切り分けを行う。
図４において、需要家Ａを停電の発生した需要家とすると、範囲１が「需要家の構内故障」の切り分け範囲、範囲３が「上位異常」の切り分け範囲となる。
【００１８】
ステップＳ４０１では、ある需要家からの停電発生の問合せや、監視業務の担当者からある需要家について停電が発生している旨の通知を受け付け、停電判定装置のオペレータが、入力装置２０３からセンタサーバ１０１に当該需要家の情報を入力する。
以降で、停電の発生した需要家を需要家Ａとする。
【００１９】
ステップＳ４０２では、需要家Ａの通信端末に対して、通信確認手段２０６により通信可否の確認を行う。
通信結果が、「通信成功」となった場合はステップＳ４０３を実行し、「通信失敗」となった場合はステップＳ４１２を実行する。
【００２０】
ステップＳ４０３では、需要家Ａの通信端末との「通信成功」なので需要家Ａの通信端末まで電力が供給されていると判断して、「需要家の構内故障」と判定し、図４の範囲１が停電状況と切り分け、需要家Ａへの確認依頼や、構内設備調査の作業等を行う必要がある旨を出力装置２０５に出力する。
【００２１】
ステップＳ４１３では、需要家Ａの通信端末との「通信失敗」なので需要家Ａの通信端末まで電力が供給されておらず、上位設備を含む柱上変圧器１からの異常と判断して、「上位異常」と判定し、図４の範囲３が停電状況と切り分け、柱上変圧器等の上位設備調査の作業を行い、その後に供給設備等調査の作業を行う必要がある旨を出力装置２０５に出力する。
【００２２】
前記のように実施の形態１によれば、センタサーバから停電の発生した需要家の通信端末に通信可否を確認することで、通信結果から停電の発生した需要家に電力が供給されているかを判断して、「通信成功」ならば需要家の構内故障、「通信失敗」ならば上位異常、と遠隔での停電状況の切り分けができる。
また、自動検針システムで必須となるセンタサーバと通信端末とのデータ通信の基本的機構のみを応用するため、既に自動検針システムが導入されていれば、少ないコストで停電状況の切り分けを実現できる。
【００２３】
実施の形態２．
図６は、この発明の実施の形態２による停電判定装置全体の説明図である。図７は、この発明の実施の形態２によるセンタサーバの構成図である。図８は、この発明の実施の形態２による停電判定の流れを示すフローチャートである。
実施の形態１では、センタサーバから停電の発生した需要家の通信端末に対する通信可否の確認結果から、停電状況を切り分ける。
実施の形態２では、センタサーバから停電の発生した需要家の通信端末に対する通信可否の確認結果と、停電の発生した需要家の近傍の需要家の通信端末に対する通信可否の確認結果から、更に停電状況を切り分ける。
図７において、実施の形態１と同様の説明は省略し、２０７は通信確度算出手段、２０８は通信履歴記録手段、２０９は近傍需要家抽出手段、２１０は配電設備データ、２１２は通信履歴データである。
【００２４】
次に、センタサーバ１０１の構成について、図７をもとに説明する。
記憶装置２０４は、計器データ２１１と、配電系統の設備及びその接続情報を含む配電設備データ２１０と、センタサーバ１０１と通信端末１０３とのデータ通信の履歴を含む通信履歴データ２１２を格納する。
配電設備データ２１０は、例えば、各需要家がどの柱上変圧器に接続されているか、といった情報を含んでいる。
通信履歴データ２１２は、例えば、センタサーバ１０１からの要求に対する通信端末１０３からの応答、通信端末１０３からの計量結果等の定期的なデータ送信など、通信端末１０３からセンタサーバ１０１に対してなされるべき通信が成功したか失敗したかといった情報を含んでいる。
【００２５】
通信履歴記録手段２０８は、センタサーバ１０１からの要求に対する通信端末１０３からの応答や、通信端末１０３からの計量結果等の定期的なデータ送信など、通信端末１０３からセンタサーバ１０１に対してなされるべき通信に対して確認処理を行い、実際に通信が行われた場合は「通信成功」、通信が行われるべき時刻より一定時間内に通信が行われなかった場合は「通信失敗」、と判定する。
各判定結果について、通信対象となる通信端末１０３の識別番号、判定時刻、「通信成功」又は「通信失敗」、という項目を通信履歴データ２１２に記録する。
【００２６】
通信確度算出手段２０７は、算出対象の需要家の情報を入力として受け取り、計器データ２１１から当該需要家の通信端末の識別番号を取得し、通信履歴データ２１２から当該通信端末のデータを取得し、例えば、取得した通信履歴データ２１２の総数のうち、「通信成功」となっているデータの数が占める割合を算出して、当該需要家に対する通信確度として出力する。
【００２７】
また、通信履歴データ２１２のうち、判定時刻の項目に基づいて、例えば、過去一ヶ月など、一定期間内のデータのみを通信確度の算出に用いるようにしても良い。
また、通信履歴記録手段２０８において、通信時のビットエラー率や、受信電力（無線通信の場合）といった情報を含んで通信履歴データ２１２に記録し、この情報により、信確度算出手段２０７で、通信確度を増減するという補正処理を行っても良い。
【００２８】
近傍需要家抽出手段２０９は、抽出の基準となる需要家の情報を入力として受け取り、配電設備データ２１０から、例えば、同一の柱上変圧器に接続された需要家や、同一の配電用変圧器に接続された需要家を取得し、近傍需要家リストとして出力する。
【００２９】
なお、センタサーバ１０１の前記各手段は、コンピュータプログラムとして実現し、記憶装置２０４に格納する。実行時には、演算装置２０２に読み込み、前記の処理を行う。
【００３０】
次に、停電判定の流れについて、図４と図８をもとに説明する。
実施の形態２では、「需要家の構内故障」、「需要家の引込線異常」、「上位異常」の３段階の停電状況の切り分けを行う。
図４において、需要家Ａを停電の発生した需要家とすると、範囲１が「需要家の構内故障」の切り分け範囲、範囲２が「需要家の引込線異常」の切り分け範囲、範囲３が「上位異常」の切り分け範囲となる。
【００３１】
ステップＳ４０１では、ある需要家からの停電発生の問合せや、監視業務の担当者から、ある需要家について停電が発生している旨の通知を受け付け、停電判定装置のオペレータが、入力装置２０３からセンタサーバ１０１に需要家の情報を入力する。
以降で、停電の発生した需要家を需要家Ａとする。
【００３２】
ステップＳ４０２では、需要家Ａの通信端末に対して、通信確認手段２０６により通信可否の確認を行う。
通信結果が、「通信成功」となった場合はステップＳ４０３を実行し、「通信失敗」となった場合はステップＳ４０４を実行する。
【００３３】
ステップＳ４０３では、需要家Ａの通信端末との「通信成功」なので需要家Ａの通信端末まで電力が供給されていると判断して、「需要家の構内故障」と判定し、図４の範囲１が停電状況と切り分け、需要家Ａへの確認依頼や、構内設備調査の作業等を行う必要がある旨を出力装置２０５に出力する。
【００３４】
ステップＳ４０４では、通信経路の一時的な不良等による近傍需要家への通信確認の失敗確率を表す通信異常指標ｅを変数として用意し、値を１に初期化する。
また、通信異常と上位停電を切り分ける閾値ｔを、停電判定装置のオペレータが「０、１」の範囲で指定して入力装置２０３から入力する。
【００３５】
ステップＳ４０５では、近傍需要家抽出手段２０９により、配電設備上で需要家Ａの近傍に位置する需要家をリストアップする。
以降で、ここで作成したリストを近傍需要家リストとする。
【００３６】
ステップＳ４０６では、近傍需要家リストに含まれる需要家数を確認する。
需要家数が、０であればステップＳ４１３を実行し、１以上であればステップＳ４０７を実行する。
【００３７】
ステップＳ４０７では、通信確度算出手段２０７により、近傍需要家リスト内の各需要家の通信端末について、それぞれの通信確度を算出し、通信確度の高い順に近傍需要家リストを並べ替え、近傍需要家リスト[需要家Ｂ、需要家Ｃ]を得る。
【００３８】
ステップＳ４０８では、近傍需要家リストに含まれる需要家数を確認する。
需要家数が、０であればステップＳ４１０を実行し、１以上であればステップＳ４０９を実行する。
【００３９】
ステップＳ４０９では、近傍需要家リストの先頭に位置する需要家を取り出す。
以降で、取り出した需要家を需要家Ｂとする。
需要家Ｂは、近傍需要家リストから削除する。
需要家Ｂの通信端末に対して通信確認手段２０６により、通信可否の確認を行う。
通信結果が、「通信成功」となった場合はステップＳ４１０を実行し、「通信失敗」となった場合はＳ４１１を実行する。
【００４０】
ステップＳ４１０では、需要家Ｂの通信端末との「通信成功」なので需要家Ｂの通信端末まで電力が供給されているが、需要家Ａの通信端末との「通信失敗」なので需要家Ａの通信端末まで電力が供給されていないと判断して、「需要家の引込線異常」と判定し、図４の範囲２が停電状況と切り分け、供給設備等調査の作業を行う必要がある旨を出力装置２０５に出力する。
【００４１】
ステップＳ４１１では、ステップＳ４０７で算出した需要家Ｂの通信確度をｐｘとして、ｅ＊（１−ｐｘ）を求め、この値を新たな通信異常指標ｅの値とする。
【００４２】
ステップＳ４１２では、通信異常指標ｅと閾値ｔを比較して、ｅ≧ｔであればステップＳ４０８を実行し、ｅ＜ｔであればステップＳ４１３を実行する。
このステップで、通信異常指標ｅと閾値ｔを比較することにより、通信経路の一時的な不良等による通信確度の低い需要家に対する通信可否の確認を減らすことができる。
【００４３】
ステップＳ４１３では、需要家Ａの通信端末との「通信失敗」なので需要家Ａの通信端末まで電力が供給されておらず、上位設備を含む柱上変圧器１からの異常と判断して、「上位異常」と判定し、図４の範囲３が停電状況と切り分け、柱上変圧器等の上位設備調査の作業を行い、その後に供給設備等調査の作業を行う必要がある旨を出力装置２０５に出力する。
【００４４】
前記のように実施の形態２によれば、センタサーバから停電の発生した需要家の通信端末及び停電の発生した需要家の近傍の需要家の通信端末に通信可否を確認することで、通信結果から、停電の発生した需要家に電力が供給されているか、停電の発生している需要家の近傍の需要家に電力が供給されているかを判断して、停電の発生した需要家の通信端末との「通信成功」の場合は需要家の構内故障、停電の発生した需要家の通信端末との「通信失敗」の場合は、更に停電の発生している需要家の近傍の需要家の通信端末と「通信成功」ならば需要家の引込線異常、更に停電の発生している需要家の近傍の需要家の通信端末と「通信失敗」ならば上位異常、と遠隔での停電状況の切り分けができる。
【００４５】
また、各需要家の通信端末に対して、通信可否の通信履歴データを記録しておき、通信履歴データから需要家の通信確度を算出し、通信確度の高い順に通信可否の確認処理を行うことで、少ない通信回数で停電状況の切り分けができる。
【００４６】
実施の形態３．
図９は、この発明の実施の形態３による停電判定装置全体の説明図である。図１０は、この発明の実施の形態３によるセンタサーバの構成図である。図１１は、この発明の実施の形態３によるネットワーク中継装置の構成図である。図１２は、この発明の実施の形態３による通信端末の構成図である。図１３は、この発明の実施の形態３による通信端末並列探索の要求処理を示すフローチャートである。図１４は、この発明の実施の形態３による通信端末並列探索の応答処理を示すフローチャートである。図１５は、この発明の実施の形態３による停電判定の流れを示すフローチャートである。
【００４７】
実施の形態１又は実施の形態２では、センタサーバと各需要家の通信端末がネットワークを介して、通信データの送受信を行う。
実施の形態３では、各需要家の通信端末が無線等により近隣に位置する需要家の通信端末と互いに直接通信可能として各通信端末が通信データを中継して必要に応じて通信経路を切り替えるメッシュネットワークの構成をとり、ネットワーク中継装置がサーバネットワークとメッシュネットワークとの間を中継することで、センタサーバと各需要家の通信端末が、サーバネットワークとメッシュネットワークを介して通信データの送受信を行う。
また、実施の形態３では、停電の発生した需要家の通信端末に対する通信可否を、メッシュネットワークの複数の通信経路で確認することで、通信経路の一時的な不良の発生を判定する。
【００４８】
図９において、５０１はセンタサーバ、５０２はサーバネットワーク、５０３はネットワーク中継装置、５０４はメッシュネットワーク、５０５は通信端末、５０６は電力量計である。図１０において、実施の形態２と同様の説明は省略し、６０１は通信端末探索手段である。図１１において、７０１はサーバネットワーク通信装置、７０２は演算装置、７０３は記憶装置、７０４はメッシュネットワーク通信装置、７０５は通信端末探索転送手段である。図１２において、実施の形態１と同様の説明は省略し、８０１は通信端末並列探索手段である。
【００４９】
次に、センタサーバ５０１の構成について、図１０をもとに説明する。
通信端末探索手段６０１は、探索対象とする通信端末５０５の識別番号を入力として受け取り、要求データの「探索対象番号」に当該識別番号を設定して、サーバネットワーク５０２を介して各ネットワーク中継装置５０３に要求データを送信する。
要求データを送信したネットワーク中継装置５０３のいずれかから、発見した旨の応答データを受信すれば「探索成功」を出力する。
要求データを送信したネットワーク中継装置５０３の全てから、発見できなかった旨の応答データを受信すれば「探索失敗」を出力する。
なお、通信端末探索手段６０１は、コンピュータプログラムとして実現し、記憶装置２０４に格納する。実行時には、演算装置２０２に読み込み、前記の処理を行う。
【００５０】
次に、ネットワーク中継装置５０３の構成について、図１１をもとに説明する。
ネットワーク中継装置５０３は、サーバネットワーク通信装置７０１と演算装置７０２と記憶装置７０３とメッシュネットワーク通信装置７０４とが互いに接続され、記憶装置７０３に格納されたプログラムを演算装置７０２に読み込んで処理することによって動作する。
プログラムの動作によって、サーバネットワーク通信装置７０１を制御してセンタサーバ５０１とデータの送受信を行い、メッシュネットワーク通信装置７０４を制御して通信端末５０５とデータの送受信を行う。
なお、通信端末５０５からセンタサーバ５０１への計量値の通信データの送信や、センタサーバ５０１から通信端末５０５への通信確認手段２０６及び通信端末探索手段６０１の通信データの送信や、通信端末５０５からセンタサーバ５０１への通信応答手段３０５及び通信端末並列探索手段８０１の通信データの送受信は、ネットワーク中継装置５０３がサーバネットワーク５０２とメッシュネットワーク５０４との間を中継して通信データを転送することで実現する。
【００５１】
通信端末探索転送手段７０５は、サーバネットワーク通信装置７０１により、センタサーバ５０１から通信端末探索手段６０１の要求データを受信してメッシュネットワーク通信装置７０４により、直接通信可能な全ての通信端末５０５に対して、要求データを同報送信する。
ネットワーク中継装置５０３から通信端末５０５への要求データの送信時には、センタサーバ５０１から受信した要求データの「探索中継リスト」に空のリストを設定する。
【００５２】
また、通信端末探索転送手段７０５は、メッシュネットワーク通信装置７０４により、直接通信可能な通信端末５０５のいずれかから、応答データを受信した場合は「探索成功」をサーバネットワーク通信装置７０１により、センタサーバ５０１に送信する。
例えば、１分などの一定時間内に、直接通信可能な通信端末５０５のいずれからも応答データを受信しなかった場合は「探索失敗」をサーバネットワーク通信装置７０１によりセンタサーバ５０１に送信する。
なお、通信端末探索転送手段７０５は、コンピュータプログラムとして実現し、記憶装置７０３に格納する。実行時には、演算装置７０２に読み込み、前記の処理を行う。
【００５３】
次に、通信端末５０５の構成について、図１２をもとに説明する。
通信端末並列探索手段８０１は、メッシュネットワーク５０４上で、直接通信可能な通信端末５０５及びネットワーク中継装置５０３との間で、通信端末並列探索の要求及び応答のデータを送受信する。
なお、通信端末並列探索手段８０１は、コンピュータプログラムとして実現し、記憶装置３０３に格納する。実行時には、演算装置３０２に読み込み、前記の処理を行う。
【００５４】
次に、通信端末並列探索手段８０１による、通信端末並列探索の要求処理について、図１３をもとに説明する。
【００５５】
ステップＳ９０１では、通信装置３０１により、メッシュネットワーク５０４上で直接通信可能な通信端末５０５及びネットワーク中継装置５０３から要求データを受信する。
要求データには、「探索対象番号」として探索対象となる通信端末の識別番号を含み、「探索中継リスト」として探索を中継した通信端末の識別番号リストを含む。
【００５６】
ステップＳ９０２では、「探索対象番号」を確認し、自通信端末の識別番号と、一致すればステップＳ９０３を実行して、一致しなければステップＳ９０４を実行する。
【００５７】
ステップＳ９０３では、応答データを作成する。応答データには、「探索結果リスト」として探索を中継した通信端末と探索対象の通信端末の識別番号のリストを含む。
「探索結果リスト」には、要求データの「探索中継リスト」から、そのままの順序で通信端末の識別番号を追加して、末尾に探索対象である自通信端末の識別番号を追加する。
次に、作成した応答データの「探索結果リスト」の末尾から二番目の位置に格納された識別番号を持つ通信端末宛に応答データを送信する。
【００５８】
ステップＳ９０４では、要求データの「探索中継リスト」のサイズを確認する。
「探索中継リスト」のサイズが、予め定めた規定値以上であれば通信端末並列探索の要求処理を終了し、規定値未満であれば「探索中継リスト」内の識別番号を確認して、「探索中継リスト」内に自通信端末と一致するものがあれば通信端末並列探索の要求処理を終了し、「探索中継リスト」内に一致するものが存在しなければステップＳ９０５を実行する。
【００５９】
ステップＳ９０５では、要求データの「探索中継リスト」の末尾に自通信端末の識別番号を追加する。
【００６０】
ステップＳ９０６では、ステップＳ９０５で更新した要求データを、メッシュネットワーク５０４上で直接通信可能な全ての通信端末５０５に対して同報送信する。
【００６１】
次に、通信端末並列探索手段８０１による、通信端末並列探索の応答処理について、図１４をもとに説明する。
【００６２】
ステップＳ１００１では、通信端末３０１により、メッシュネットワーク５０４上で直接通信可能な通信端末５０５から応答データを受信する。
応答データは、通信端末並列探索の要求処理のステップＳ９０３で作成された「探索結果リスト」を含むものである。
【００６３】
ステップＳ１００２では、応答データの「探索結果リスト」の内容を確認して、自通信端末の識別番号が格納されている位置を検索する。
格納されている位置が、先頭であった場合はステップＳ１００３を実行し、先頭でなかった場合はステップＳ１００４を実行する。
【００６４】
ステップＳ１００３では、通信装置３０１により、応答データをネットワーク中継装置５０３に送信する。
【００６５】
ステップＳ１００４では、通信装置３０１により、応答データの「探索結果リスト」において、自通信端末の識別番号が格納されている位置の一つ前に格納された識別番号の通信端末宛に応答データを送信する。
【００６６】
次に、停電判定の流れについて、図４と図１５をもとに説明する。
実施の形態３では、実施の形態２と同様に３段階の停電状況の切り分けを行うと共に、停電の発生した需要家の通信端末に対する通信経路の一時的な不良の発生を判定する。
図４において、需要家Ａを停電の発生した需要家とすると、範囲１が「需要家の構内故障」の切り分け範囲、範囲２が「停需要家の引込線異常」の切り分け範囲、範囲３が「上位異常」の切り分け範囲となる。
【００６７】
ステップＳ４０１では、ある需要家からの停電発生の問合せや、監視業務の担当者から、ある需要家について停電が発生している旨の通知を受け付け、停電判定装置のオペレータが、入力装置２０３からセンタサーバ１０１に需要家の情報を入力する。
以降で、停電の発生した需要家を需要家Ａとする。
【００６８】
ステップＳ４０２では、需要家Ａの通信端末に対して、通信確認手段２０６により通信可否の確認を行う。
なお、通信確認手段２０６が使用する通信経路は、必要に応じて通信経路を切り替えるメッシュネットワークにおいて、通信可否の確認時点で、１本の通信経路を使用する（１本の最適経路を使用）。
通信結果が、「通信成功」となった場合はステップＳ４０３を実行し、「通信失敗」となった場合はステップＳ４０４を実行する。
【００６９】
ステップＳ４０３では、需要家Ａの通信端末との「通信成功」なので需要家Ａの通信端末まで電力が供給されていると判断して、「需要家の構内故障」と判定し、図４の範囲１が停電状況と切り分け、需要家Ａへの確認依頼や、構内設備調査の作業等を行う必要がある旨を出力装置２０５に出力する。
【００７０】
ステップＳ４０４では、通信経路の一時的な不良等による近傍需要家への通信確認の失敗確率を表す通信異常指標ｅを変数として用意し、値を１に初期化する。
また、通信異常と配電系統上位の異常を切り分ける閾値ｔを、停電判定装置のオペレータが「０、１」の範囲で指定して入力装置２０３から入力する。
【００７１】
ステップＳ４０５では、近傍需要家抽出手段２０９により、配電設備上で需要家Ｃ０の近傍に位置する需要家をリストアップする。
以降で、ここで作成したリストを近傍需要家リストとする。
【００７２】
ステップＳ４０６では、近傍需要家リストに含まれる需要家数を確認する。
需要家数が、０であればステップＳ４１３を実行し、１以上であればステップＳ４０７を実行する。
【００７３】
ステップＳ４０７では、通信確度算出手段２０７により、近傍需要家リスト内の各需要家について、それぞれの通信確度を算出し、通信確度の高い順に近傍需要家リストを並べ替え、近傍需要家リスト[需要家Ｂ、需要家Ｃ]を得る。
【００７４】
ステップＳ４０８では、近傍需要家リストに含まれる需要家数を確認する。
需要家数が、０であればステップＳ４１０を実行し、１以上であればステップＳ１１０１を実行する。
【００７５】
ステップＳ１１０１では、近傍需要家リストの先頭に位置する需要家を取り出す。
以降で、取り出した需要家を需要家Ｂとする。
需要家Ｂは、近傍需要家リストから削除する。
需要家Ｂに対して、通信確認手段２０６により通信可否の確認を行う。
なお、通信確認手段２０６が使用する通信経路は、前記ステップＳ４０２と同様とする。
通信結果が、「通信成功」となった場合はステップＳ１１０２を実行し、「通信失敗」となった場合はステップＳ４１１を実行する。
【００７６】
ステップＳ１１０２では、需要家Ａの通信端末の識別番号を計器データ２１１から取得して、これを探索対象として通信端末探索手段６０１に与えて、「通信成功」した需要家Ｂ経由で需要家Ａに通信可能か探索結果を得る。
なお、通信端末探索手段６０１が使用する通信経路は、必要に応じて通信経路を切り替えるメッシュネットワークにおいて、通信端末の探索時点で、切り替え可能な全ての通信経路を使用する（１本の最適経路だけでなく、迂回経路など切り替え可能な全経路を使用）。
探索結果が、「探索失敗」の場合はステップＳ４１０を実行し、「探索成功」の場合はステップＳ１１０３を実行する。
【００７７】
ステップＳ１１０３では、近傍の需要家Ｂ経由で需要家Ａの通信端末との「通信成功」なので需要家Ａの通信端末までは電力が供給されていると判断して、「需要家の構内故障」と判定し、図４の範囲１が停電状況と切り分け、需要家Ａへの確認依頼や、構内設備調査の作業等を行う必要がある旨を出力装置２０５に出力する。
また、需要家Ａの通信端末に対する通信可否の確認で、直接の通信確認は「通信失敗」だが、近傍の需要家Ｂを経由して通信確認は「探索成功」となるので、需要家Ａへの直接の通信経路の一時的な不良の発生を判定して、需要家の通信端末周辺のネットワーク状況の確認を推奨する旨を出力装置２０５に出力する。
【００７８】
ステップＳ４１０では、需要家Ｂの通信端末との「通信成功」なので需要家Ｂの通信端末までは電力が供給されているが、需要家Ａの通信端末との「通信失敗」なので需要家Ａの通信端末までは電力が供給されていないと判断して、「需要家の引込線異常」と判定し、図４の範囲２が停電状況と切り分け、供給設備等調査の作業を行う必要がある旨を出力装置２０５に出力する。
【００７９】
ステップＳ４１１では、ステップＳ４０７で算出した需要家Ｂの通信確度をｐｘとして、ｅ＊（１−ｐｘ）を求め、この値を新たな通信異常指標ｅの値とする。
【００８０】
ステップＳ４１２では、通信異常指標ｅと閾値ｔを比較して、ｅ≧ｔであればステップＳ４０８を実行し、ｅ＜ｔであればステップＳ４１３を実行する。
このステップで、通信異常指標ｅと閾値ｔを比較することにより、通信経路の一時的な不良等による通信確度の低い需要家に対する通信可否の確認を減らすことができる。
【００８１】
ステップＳ４１３では、需要家Ａの通信端末との「通信失敗」なので需要家Ａの通信端末まで電力が供給されておらず、上位設備を含む柱上変圧器１からの異常と判断して、「上位異常」と判定し、図４の範囲３が停電状況と切り分け、柱上変圧器等の上位設備調査の作業を行い、その後に供給設備等調査の作業を行う必要がある旨を出力装置２０５に出力する。
【００８２】
前記のように実施の形態３によれば、各需要家の通信端末がメッシュネットワークで構成される場合でも、実施の形態２と同様に、遠隔での停電状況の切り分けができる。
また、停電の発生した需要家の通信端末に対する通信可否の確認において、メッシュネットワークの複数の通信経路で確認をすることで、通信確認手段が「通信失敗」で通信端末探索手段が「探索成功」ならば需要家の通信端末に対する通信経路の一時的な不良の発生を判定できる。
【符号の説明】
【００８３】
１０１...センタサーバ、  １０２...ネットワーク、  １０３...通信端末、
１０４...電力量計、
２０１...通信装置、  ２０２...演算装置、  ２０３...入力装置、
２０４...記憶装置、  ２０５...出力装置、  ２０６...通信確認手段、
２０７...通信確度算出手段、  ２０８...通信履歴記録手段、
２０９...近傍需要家抽出手段、  ２１０...配電設備データ、
２１１...計器データ、  ２１２...通信履歴データ、
３０１...通信装置、  ３０２...演算装置、  ３０３...記憶装置、
３０４...インタフェース装置、  ３０５...通信応答手段
【図１】
0005446986.tif 000002
【図２】
0005446986.tif 000003
【図３】
0005446986.tif 000004
【図４】
0005446986.tif 000005
【図５】
0005446986.tif 000006
【図６】
0005446986.tif 000007
【図７】
0005446986.tif 000008
【図８】
0005446986.tif 000009
【図９】
0005446986.tif 000010
【図１０】
0005446986.tif 000011
【図１１】
0005446986.tif 000012
【図１２】
0005446986.tif 000013
【図１３】
0005446986.tif 000014
【図１４】
0005446986.tif 000015
【図１５】
0005446986.tif 000016